【手続補正書】
【提出日】平成15年10月31日(2003.10.31)
【手続補正１】
【補正対象書類名】明細書
【補正対象項目名】発明の名称
【補正方法】変更
【補正の内容】
【発明の名称】変換情報管理装置及び変換情報管理方法


【手続補正２】
【補正対象書類名】明細書
【補正対象項目名】特許請求の範囲
【補正方法】変更
【補正の内容】
【特許請求の範囲】
【請求項１】
通信プロトコルとしてＩＰｖ４を使用する少なくとも１台のＩＰｖ４装置及びＩＰｖ６を使用する少なくとも１台のＩＰｖ６装置とネットワークを介して接続される変換情報管理装置において、
前記少なくとも１台のＩＰｖ６装置のＩＰｖ６アドレスと任意のＩＰｖ４アドレスとを対応付けて保持する変換情報保持手段と、
ネットワークに対してＩＰｖ４またはＩＰｖ６を使用してメッセージを送受信する送受信手段と、
前記送受信手段を介して、任意のＩＰｖ６装置から前記ネットワークを介してメッセージを受信すると、ＩＰｖ４アドレスを割り当てるアドレス割当装置にＩＰｖ４アドレスを要求するメッセージを送信し、前記ＩＰｖ４アドレスを要求するメッセージに対する応答として前記アドレス割当装置から任意のＩＰｖ４アドレスを含むＩＰｖ４アドレス付与メッセージを受信し、前記ＩＰｖ４アドレス付与メッセージに含まれる前記任意のＩＰｖ４アドレスと前記任意のＩＰｖ６装置のＩＰｖ６アドレスとを対応付けて前記変換情報保持手段に保持させるＩＰｖ４アドレス獲得手段とを有することを特徴とする変換情報管理装置。
【請求項２】
通信プロトコルとしてＩＰｖ４を使用する少なくとも１台のＩＰｖ４装置及びＩＰｖ６を使用する少なくとも１台のＩＰｖ６装置とネットワークを介して接続される変換情報管理装置において、
ネットワークに対してＩＰｖ４またはＩＰｖ６を使用してメッセージを送受信する送受信手段と、
前記送受信手段を介して、任意のＩＰｖ６装置から前記ネットワークを介してメッセージを受信すると、ＩＰｖ４アドレスを割り当てるアドレス割当装置に対してＩＰｖ４アドレスの割り当てを要求するメッセージを送信し、前記要求メッセージに対する応答として前記アドレス割当装置から任意のＩＰｖ４アドレスを含むＩＰｖ４アドレス付与メッセージを受信するＩＰｖ４アドレス獲得手段と、前記ＩＰｖ４アドレス付与メッセージに含まれる前記任意のＩＰｖ４アドレスと前記メッセージを送信した前記任意のＩＰｖ６装置のＩＰｖ６アドレスとを対応付けて保持する変換情報保持手段とを有することを特徴とする変換情報管理装置。
【請求項３】
通信プロトコルとしてＩＰｖ４を使用するＩＰｖ４装置が接続されたＩＰｖ４ネットワークと、ＩＰｖ６を使用するＩＰｖ６装置が接続されたＩＰｖ６ネットワークとに接続される変換情報管理装置において、
前記少なくとも１台のＩＰｖ６装置のＩＰｖ６アドレスと任意のＩＰｖ４アドレスとを対応付けて保持する変換情報保持手段と、
前記ＩＰｖ４ネットワーク及び前記ＩＰｖ６ネットワークに対してＩＰｖ４またはＩＰｖ６を使用してメッセージを送受信する送受信手段と、
前記送受信手段を介して、前記ＩＰｖ６ネットワークから、任意のＩＰｖ６装置から発信されたメッセージを受信し、前記メッセージを送信した前記任意のＩＰｖ６装置のＩＰｖ６アドレスが前記変換情報保持手段に保持されているか検索するアドレス検索手段と、前記任意のＩＰｖ６装置のＩＰｖ６アドレスが前記変換情報保持手段に保持されていない場合、ＩＰｖ４アドレスを動的に割り当てるＤＨＣＰサーバにＩＰｖ４アドレスを要求するメッセージを送信し、前記ＩＰｖ４アドレスを要求するメッセージに対する応答として前記ＤＨＣＰサーバから任意のＩＰｖ４アドレスを含むＩＰｖ４アドレス付与メッセージを受信し、前記ＩＰｖ４アドレス付与メッセージに含まれる前記任意のＩＰｖ４アドレスと前記メッセージを発信した前記任意のＩＰｖ６装置のＩＰｖ６アドレスとを対応付けて前記変換情報保持手段に保持させるＩＰｖ４アドレス獲得手段とを有することを特徴とする変換情報管理装置。
【請求項４】
請求項３に記載の変換情報管理装置において、前記変換情報保持手段は保持している変換情報のうち一定時間参照されない変換情報を削除することを特徴とする変換情報管理装置。
【請求項５】
通信プロトコルとしてＩＰｖ４を使用するＩＰｖ４装置が接続されたＩＰｖ４ネットワークと、ＩＰｖ６を使用するＩＰｖ６装置が接続されたＩＰｖ６ネットワークとに接続される変換情報管理装置において、
前記ＩＰｖ４ネットワーク及び前記ＩＰｖ６ネットワークに対してＩＰｖ４またはＩＰｖ６を使用してメッセージを送受信する送受信手段と、
前記送受信手段を介して、前記ＩＰｖ６ネットワークから、任意のＩＰｖ６装置から発信されたメッセージを受信し、ＩＰｖ４アドレスを動的に割り当てるアドレス割当装置にＩＰｖ４アドレスを要求するメッセージを送信し、前記要求メッセージに対する応答として前記アドレス割当装置から任意のＩＰｖ４アドレスを含むＩＰｖ４アドレス付与メッセージを受信するＩＰｖ４アドレス獲得手段と、前記ＩＰｖ４アドレス付与メッセージに含まれる前記任意のＩＰｖ４アドレスと前記メッセージを発信した前記任意のＩＰｖ６装置のＩＰｖ６アドレスとを対応付けて保持する変換情報保持手段とを有することを特徴とする変換情報管理装置。
【請求項６】
通信プロトコルとしてＩＰｖ４を使用する少なくとも１台のＩＰｖ４装置及びＩＰｖ６を使用する少なくとも１台のＩＰｖ６装置とネットワークを介して接続される変換情報管理装置において、
任意のＩＰｖ６装置から前記ネットワークを介してメッセージを受信する受信手段と、ＩＰｖ４アドレスを割り当てるアドレス割当装置に対してＩＰｖ４アドレスの割り当てを要求するメッセージを送信し、前記要求メッセージに対する応答として前記アドレス割当装置から任意のＩＰｖ４アドレスを含むＩＰｖ４アドレス付与メッセージを受信するＩＰｖ４アドレス獲得手段と、前記ＩＰｖ４アドレス付与メッセージに含まれる前記任意のＩＰｖ４アドレスと前記受信手段が受信したメッセージを送信した前記任意のＩＰｖ６装置のＩＰｖ６アドレスとを対応付けて保持する変換情報保持手段とを有することを特徴とする変換情報管理装置。
【請求項７】
通信プロトコルとして第１のバージョンのＩＰプロトコルを使用する少なくとも１台の第１の装置と第２のバージョンのＩＰプロトコルを使用する少なくとも１台の第２の装置とにネットワークを介して接続される変換情報管理装置において、
ネットワークに対して第１のバージョンのＩＰプロトコルまたは第２のバージョンのＩＰプロトコルを使用してメッセージを送受信する送受信手段と、
前記送受信手段を介して、前記第１の装置から前記ネットワークを介してメッセージを受け取ると、第２のバージョンのＩＰアドレスを割り当てるアドレス割当装置に第２のバージョンのＩＰアドレスを要求するメッセージを送信し、前記要求メッセージに対する応答として前記アドレス割当装置から任意の第２のバージョンのＩＰアドレスを含むＩＰアドレス付与メッセージを受信するアドレス獲得手段と、前記ＩＰアドレス付与メッセージに含まれる前記任意の第２のバージョンのＩＰアドレスと前記第１の装置の第１のバージョンのＩＰアドレスとを対応付けて保持する変換情報保持手段とを有することを特徴とする変換装置。
【請求項８】
通信プロトコルとして第１のバージョンのＩＰプロトコルを使用する少なくとも１台の第１の装置と第２のバージョンのＩＰプロトコルを使用する少なくとも１台の第２の装置とにネットワークを介して接続される変換情報管理装置において、
ネットワークに対して第１のバージョンのＩＰプロトコルまたは第２のバージョンのＩＰプロトコルを使用してメッセージを送受信する送受信手段と、
前記送受信手段を介して、前記第１の装置から前記ネットワークを介してメッセージを受け取ると、第２のバージョンのＩＰアドレスを動的に割り当てるＤＨＣＰサーバに第２のバージョンのＩＰアドレスを要求するメッセージを送信し、前記要求メッセージに対する応答として前記ＤＨＣＰサーバから任意の第２のバージョンのＩＰアドレスを含むＩＰアドレス付与メッセージを受信するアドレス獲得手段と、前記ＩＰアドレス付与メッセージに含まれる前記任意の第２のバージョンのＩＰアドレスと前記第１の装置の第１のバージョンのＩＰアドレスとを対応付けて保持する変換情報保持手段とを有することを特徴とする変換装置。
【請求項９】
通信プロトコルとしてＩＰｖ６を使用するＩＰｖ６装置のＩＰｖ６アドレスと任意のＩＰｖ４アドレスからなるＩＰｖ４−ＩＰｖ６変換情報を管理する方法において、
任意のＩＰｖ６装置からメッセージを受信すると、ＩＰｖ４アドレスを割り当てるアドレス割当装置に対してＩＰｖ４アドレスの割り当てを要求するメッセージを送信し、前記要求メッセージに対する応答として前記アドレス割当装置から任意のＩＰｖ４アドレスを含むＩＰｖ４アドレス付与メッセージを受信し、前記ＩＰｖ４アドレス付与メッセージに含まれる前記任意のＩＰｖ４アドレスと前記任意のＩＰｖ６装置のＩＰｖ６アドレスとを対応付けて保持することを特徴とするＩＰｖ４−ＩＰｖ６変換情報管理方法。
【請求項１０】
通信プロトコルとしてＩＰｖ６を使用するＩＰｖ６装置のＩＰｖ６アドレスと任意のＩＰｖ４アドレスからなるＩＰｖ４−ＩＰｖ６変換情報を管理する方法において、
任意のＩＰｖ６装置からメッセージを受信すると、前記メッセージを送信した前記任意のＩＰｖ６装置のＩＰｖ６アドレスを含むＩＰｖ４−ＩＰｖ６変換情報を保持しているか検索し、前記任意のＩＰｖ６装置のＩＰｖ６アドレスを含むＩＰｖ４−ＩＰｖ６変換情報を保持していない場合、ＩＰｖ４アドレスを動的に割り当てるＤＨＣＰサーバにＩＰｖ４アドレスを要求するメッセージを送信し、前記ＩＰｖ４アドレスを要求するメッセージに対する応答として前記ＤＨＣＰサーバから任意のＩＰｖ４アドレスを含むＩＰｖ４アドレス付与メッセージを受信し、前記ＩＰｖ４アドレス付与メッセージに含まれる前記任意のＩＰｖ４アドレスと前記任意のＩＰｖ６装置のＩＰｖ６アドレスとを対応付けてＩＰｖ４−ＩＰｖ６変換情報として保持することを特徴とするＩＰｖ４−ＩＰｖ６変換情報管理方法。
【請求項１１】
通信プロトコルとしてＩＰｖ４を使用する少なくとも１台のＩＰｖ４装置及びＩＰｖ６を使用する少なくとも１台のＩＰｖ６装置とネットワークを介して接続される変換情報管理装置において、
ネットワークに対してＩＰｖ４またはＩＰｖ６を使用してメッセージを送受信する送受信手段と、
前記送受信手段を介して、任意のＩＰｖ４装置から前記ネットワークを介して接続される他の装置のドメイン情報の問い合わせメッセージを受信し、前記他の装置のドメイン情報の問い合わせメッセージをＩＰｖ４ドメイン情報を管理するＤＮＳサーバへ送信し、前記他の装置のドメイン情報を応答するメッセージを受信しなかった場合、前記他の装置のドメイン情報の問い合わせメッセージをＩＰｖ６ドメイン情報を管理するＤＮＳサーバへ送信し、前記ＩＰｖ６ドメイン情報を管理するＤＮＳサーバから前記他の装置のドメイン情報を応答するメッセージを受信するＤＮＳ代行手段と、ＩＰｖ４アドレスを割り当てるアドレス割当装置にＩＰｖ４アドレスを要求するメッセージを送信し、前記ＩＰｖ４アドレスを要求するメッセージに対する応答として前記アドレス割当装置から任意のＩＰｖ４アドレスを含むＩＰｖ４アドレス付与メッセージを受信するＩＰｖ４アドレス獲得手段と、前記ＩＰｖ４アドレス獲得手段が受信した前記ＩＰｖ４アドレス付与メッセージに含まれる前記任意のＩＰｖ４アドレスと前記ＤＮＳ代行手段が受信した前記応答メッセージに含まれる前記他の装置のＩＰｖ６アドレスとを対応付けて保持する変換情報保持手段とを有することを特徴とする変換情報管理装置。
【請求項１２】
通信プロトコルとしてＩＰｖ４を使用する少なくとも１台のＩＰｖ４装置及びＩＰｖ６を使用する少なくとも１台のＩＰｖ６装置とネットワークを介して接続される変換情報管理装置において、
前記少なくとも１台のＩＰｖ６装置のＩＰｖ６アドレスと任意のＩＰｖ４アドレスとを対応付けて保持する変換情報保持手段と、
ネットワークに対してＩＰｖ４またはＩＰｖ６を使用してメッセージを送受信する送受信手段と、
前記送受信手段を介して、任意のＩＰｖ４装置から前記ネットワークを介して接続される他の装置のドメイン情報の問い合わせメッセージを受信し、前記他の装置のドメイン情報の問い合わせメッセージをＩＰｖ４ドメイン情報を管理する第１のＤＮＳサーバへ送信し、前記他の装置のドメイン情報を応答するメッセージを前記第１のＤＮＳサーバから受信しなかった場合、前記他の装置のドメイン情報の問い合わせメッセージをＩＰｖ６ドメイン情報を管理する第２のＤＮＳサーバへ送信し、前記他の装置のドメイン情報を応答するメッセージを前記第２のＤＮＳサーバから受信するＤＮＳ代行手段と、ＩＰｖ４アドレスを割り当てるＤＨＣＰサーバにＩＰｖ４アドレスを要求するメッセージを送信し、前記ＩＰｖ４アドレスを要求するメッセージに対する応答として前記ＤＨＣＰサーバから任意のＩＰｖ４アドレスを含むＩＰｖ４アドレス付与メッセージを受信し、前記ＩＰｖ４アドレス付与メッセージに含まれる前記任意のＩＰｖ４アドレスと前記ＤＮＳ代行手段が受信した前記応答メッセージに含まれる前記他の装置のＩＰｖ６アドレスとを対応付けて前記変換情報保持手段に保持させるＩＰｖ４アドレス獲得手段とを有することを特徴とする変換情報管理装置。
【請求項１３】
通信プロトコルとしてＩＰｖ４を使用するＩＰｖ４装置が接続されたＩＰｖ４ネットワークと、ＩＰｖ６を使用するＩＰｖ６装置が接続されたＩＰｖ６ネットワークとに接続される変換情報管理装置において、
前記ＩＰｖ４ネットワーク及び前記ＩＰｖ６ネットワークに対してＩＰｖ４またはＩＰｖ６を使用してメッセージを送受信する送受信手段と、
前記送受信手段を介して、前記ＩＰｖ４ネットワークから、任意のＩＰｖ４装置から発信された任意のＩＰｖ６装置のドメイン情報の問い合わせメッセージを受信し、前記任意のＩＰｖ６装置のドメイン情報の問い合わせメッセージを前記ＩＰｖ４ネットワーク内のドメイン情報を管理するＤＮＳサーバへ送信し、前記任意のＩＰｖ６装置のドメイン情報を応答するメッセージを受信しなかった場合、前記任意のＩＰｖ６装置のドメイン情報の問い合わせメッセージを前記ＩＰｖ６ネットワーク内のドメイン情報を管理するＤＮＳサーバへ送信し、前記任意のＩＰｖ６装置のドメイン情報を応答するメッセージを受信するＤＮＳ代行手段と、ＩＰｖ４アドレスを動的に割り当てるＤＨＣＰサーバにＩＰｖ４アドレスを要求するメッセージを送信し、前記要求メッセージに対する応答として前記ＤＨＣＰサーバから任意のＩＰｖ４アドレスを含むＩＰｖ４アドレス付与メッセージを受信するＩＰｖ４アドレス獲得手段と、前記ＩＰｖ４アドレス付与メッセージに含まれる前記任意のＩＰｖ４アドレスと前記応答メッセージに含まれる前記任意のＩＰｖ６装置のＩＰｖ６アドレスとを対応付けて保持する変換情報保持手段とを有することを特徴とする変換情報管理装置。
【請求項１４】
通信プロトコルとしてＩＰｖ４を使用するＩＰｖ４装置が接続されたＩＰｖ４ネットワークと、ＩＰｖ６を使用するＩＰｖ６装置が接続されたＩＰｖ６ネットワークとに接続される変換情報管理装置において、
前記ＩＰｖ６装置のＩＰｖ６アドレスと任意のＩＰｖ４アドレスとを対応付けて保持する変換情報保持手段と、
前記ＩＰｖ４ネットワーク及び前記ＩＰｖ６ネットワークに対してＩＰｖ４またはＩＰｖ６を使用してメッセージを送受信する送受信手段と、
前記送受信手段を介して、前記ＩＰｖ４ネットワークから、任意のＩＰｖ４装置から発信された任意のＩＰｖ６装置のドメイン情報の問い合わせメッセージを受信し、前記任意のＩＰｖ６装置のドメイン情報の問い合わせメッセージを前記ＩＰｖ４ネットワークに接続された第１のＤＮＳサーバへ送信し、前記任意のＩＰｖ６装置のドメイン情報を応答するメッセージを前記第１のＤＮＳサーバから所定時間内に受信しなかった場合、前記任意のＩＰｖ６装置のドメイン情報の問い合わせメッセージを前記ＩＰｖ６ネットワークに接続された第２のＤＮＳサーバへ送信し、前記任意のＩＰｖ６装置のドメイン情報を応答するメッセージを前記第２のＤＮＳサーバから受信するＤＮＳ代行手段と、前記ＤＮＳ代行手段が受信した前記応答メッセージに含まれる前記任意のＩＰｖ６装置のＩＰｖ６アドレスが前記変換情報保持手段に保持されているか検索するアドレス検索手段と、前記任意のＩＰｖ６装置のＩＰｖ６アドレスが前記変換情報保持手段に保持されていない場合、ＩＰｖ４アドレスを動的に割り当てるＤＨＣＰサーバにＩＰｖ４アドレスを要求するメッセージを送信し、前記要求メッセージに対する応答として前記ＤＨＣＰサーバから任意のＩＰｖ４アドレスを含むＩＰｖ４アドレス付与メッセージを受信し、前記ＩＰｖ４アドレス付与メッセージに含まれる前記任意のＩＰｖ４アドレスと前記応答メッセージに含まれる前記任意のＩＰｖ６装置のＩＰｖ６アドレスとを対応付けて前記変換情報保持手段に保持させるＩＰｖ４アドレス獲得手段とを有することを特徴とする変換情報管理装置。
【請求項１５】
請求項１４に記載の変換情報管理装置において、前記変換情報保持手段は保持している変換情報のうち一定時間参照されない変換情報を削除することを特徴とする変換情報管理装置。
【請求項１６】
通信プロトコルとしてＩＰｖ４を使用する少なくとも１台のＩＰｖ４装置及びＩＰｖ６を使用する少なくとも１台のＩＰｖ６装置とネットワークを介して接続される変換情報管理装置において、
ネットワークに対してＩＰｖ４またはＩＰｖ６を使用してメッセージを送受信する送受信手段と、
前記送受信手段を介して、任意のＩＰｖ４装置から前記ネットワークを介して接続された他の装置のドメインネームに対応するＩＰアドレスの問い合わせメッセージを受信し、前記ドメインネームに対応するＩＰアドレスの問い合わせメッセージを、ＩＰｖ４ドメイン情報を管理するＤＮＳサーバと、ＩＰｖ６ドメイン情報を管理するＤＮＳサーバへ送信し、前記ドメインネームに対応するＩＰアドレスを応答するメッセージを受信するＤＮＳ代行手段と、前記ＤＮＳ代行手段が前記ドメインネームに対応するＩＰｖ６アドレスを応答するメッセージを受信した場合、ＩＰｖ４アドレスを割り当てるアドレス割当装置にＩＰｖ４アドレスを要求するメッセージを送信し、前記ＩＰｖ４アドレスを要求するメッセージに対する応答として前記アドレス割当装置から任意のＩＰｖ４アドレスを含むＩＰｖ４アドレス付与メッセージを受信するＩＰｖ４アドレス獲得手段と、前記ＩＰｖ４アドレス付与メッセージに含まれる前記任意のＩＰｖ４アドレスと前記応答メッセージに含まれる前記ＩＰｖ６アドレスとを対応付けて保持する変換情報保持手段とを有することを特徴とする変換情報管理装置。
【請求項１７】
通信プロトコルとして第１のバージョンのＩＰプロトコルを使用する少なくとも１台の第１の装置と第２のバージョンのＩＰプロトコルを使用する少なくとも１台の第２の装置とにネットワークを介して接続される変換情報管理装置において、
ネットワークに対して第１のバージョンのＩＰプロトコルまたは第２のバージョンのＩＰプロトコルを使用してメッセージを送受信する送受信手段と、
前記送受信手段を介して、前記第１の装置から前記ネットワークを介して接続される他の装置のドメイン情報の問い合わせメッセージを受け取り、前記他の装置のドメイン情報の問い合わせメッセージを、第１のバージョンのＩＰプロトコルを使用する装置のドメイン情報を管理するサーバへ送信し、前記他の装置のドメイン情報を応答するメッセージを受信しなかった場合、前記他の装置のドメイン情報の問い合わせメッセージを、第２のバージョンのＩＰプロトコルを使用する装置のドメイン情報を管理するサーバへ送信し、前記第２のバージョンのＩＰプロトコルを使用する装置のドメイン情報を管理するサーバから前記他の装置のドメイン情報を応答するメッセージを受信するＤＮＳ代行手段と、第１のバージョンのＩＰアドレスを割り当てるアドレス割当装置に第１のバージョンのＩＰアドレスを要求するメッセージを送信し、前記要求メッセージに対する応答として前記アドレス割当装置から任意の第１のバージョンのＩＰアドレスを含むＩＰアドレス付与メッセージを受信するアドレス獲得手段と、前記ＩＰアドレス付与メッセージに含まれる前記任意の第１のバージョンのＩＰアドレスと前記応答メッセージに含まれる前記他の装置の第２のバージョンのＩＰアドレスとを対応付けて保持する変換情報保持手段とを有することを特徴とする変換情報管理装置。
【請求項１８】
通信プロトコルとして第１のバージョンのＩＰプロトコルを使用する少なくとも１台の第１の装置と第２のバージョンのＩＰプロトコルを使用する少なくとも１台の第２の装置とにネットワークを介して接続される変換情報管理装置において、
ネットワークに対して第１のバージョンのＩＰプロトコルまたは第２のバージョンのＩＰプロトコルを使用してメッセージを送受信する送受信手段と、
前記送受信手段を介して、前記第１の装置から前記ネットワークを介して接続される他の装置のドメインネームに対応するＩＰアドレスの問い合わせメッセージを受け取り、前記ドメインネームに対応するＩＰアドレスの問い合わせメッセージを、前記第１のバージョンのＩＰプロトコルを使用する装置のドメイン情報を管理するサーバと、前記第２のバージョンのＩＰプロトコルを使用する装置のドメイン情報を管理するサーバへ送信し、前記ドメインネームに対応するＩＰアドレスを応答するメッセージを受信するＤＮＳ代行手段と、前記ＤＮＳ代行手段が前記ドメインネームに対応する第２のバージョンのＩＰアドレスを応答するメッセージを受信した場合、第１のバージョンのＩＰアドレスを割り当てるアドレス割当装置に第１のバージョンのＩＰアドレスを要求するメッセージを送信し、前記要求メッセージに対する応答として前記アドレス割当装置から任意の第１のバージョンのＩＰアドレスを含むＩＰアドレス付与メッセージを受信するアドレス獲得手段と、前記ＩＰアドレス付与メッセージに含まれる前記任意の第１のバージョンのＩＰアドレスと前記応答メッセージに含まれる前記第２のバージョンのＩＰアドレスとを対応付けて保持する変換情報保持手段とを有することを特徴とする変換装置。
【請求項１９】
通信プロトコルとしてＩＰｖ６を使用するＩＰｖ６装置のＩＰｖ６アドレスと任意のＩＰｖ４アドレスからなるＩＰｖ４−ＩＰｖ６変換情報を管理する方法において、
任意のＩＰｖ４装置から任意のＩＰｖ６装置のドメイン情報の問い合わせメッセージを受信し、前記任意のＩＰｖ６装置のドメイン情報の問い合わせメッセージをＩＰｖ４ドメイン情報を管理するサーバとＩＰｖ６ドメイン情報を管理するサーバへ送信し、前記任意のＩＰｖ６装置のドメイン情報としてＩＰｖ６アドレスを応答するメッセージを受信した場合、ＩＰｖ４アドレスを割り当てるアドレス割当装置にＩＰｖ４アドレスを要求するメッセージを送信し、前記ＩＰｖ４アドレスを要求するメッセージに対する応答として前記アドレス割当装置から任意のＩＰｖ４アドレスを含むＩＰｖ４アドレス付与メッセージを受信し、前記ＩＰｖ４アドレス付与メッセージに含まれる前記任意のＩＰｖ４アドレスと前記応答メッセージに含まれる前記任意のＩＰｖ６装置のＩＰｖ６アドレスとを対応付けてＩＰｖ４−ＩＰｖ６変換情報として保持することを特徴とするＩＰｖ４−ＩＰｖ６変換情報管理方法。
【請求項２０】
通信プロトコルとしてＩＰｖ６を使用するＩＰｖ６装置のＩＰｖ６アドレスと任意のＩＰｖ４アドレスからなるＩＰｖ４−ＩＰｖ６変換情報を管理する方法において、
任意のＩＰｖ４装置から任意のＩＰｖ６装置のドメイン情報の問い合わせメッセージを受信し、前記任意のＩＰｖ６装置のドメイン情報の問い合わせメッセージをＩＰｖ４ドメイン情報を管理するＤＮＳサーバへ送信し、前記任意のＩＰｖ６装置のドメイン情報を応答するメッセージを受信しなかった場合、前記任意のＩＰｖ６装置のドメイン情報の問い合わせメッセージをＩＰｖ６ドメイン情報を管理するＤＮＳサーバへ送信し、前記任意のＩＰｖ６装置のドメイン情報を応答するメッセージを受信し、前記応答メッセージに含まれる前記任意のＩＰｖ６装置のＩＰｖ６アドレスを含むＩＰｖ４−ＩＰｖ６変換情報を保持しているか検索し、前記任意のＩＰｖ６装置のＩＰｖ６アドレスを含むＩＰｖ４−ＩＰｖ６変換情報を保持していない場合、ＩＰｖ４アドレスを割り当てるＤＨＣＰサーバにＩＰｖ４アドレスを要求するメッセージを送信し、前記要求メッセージに対する応答として前記ＤＨＣＰサーバから任意のＩＰｖ４アドレスを含むＩＰｖ４アドレス付与メッセージを受信し、前記ＩＰｖ４アドレス付与メッセージに含まれる前記任意のＩＰｖ４アドレスと前記任意のＩＰｖ６装置のＩＰｖ６アドレスとを対応付けてＩＰｖ４−ＩＰｖ６変換情報として保持することを特徴とするＩＰｖ４−ＩＰｖ６変換情報管理方法。